(57)【要約】【課題】  内部空間の奥側への塵埃の侵入を抑制して回転部材の固定部材に対する円滑な回転動作を確保する。【解決手段】  固定された状態で配置された第１の固定部材７、第２の固定部材８及び第３の固定部材９と、第１の固定部材、第２の固定部材及び第３の固定部材に対して回転可能な回転部材１０とを設け、固定部材と回転部材の間に、固定部材及び回転部材の外側に位置する外部空間４４と固定部材及び回転部材の間に位置する内部空間４０、４１とにそれぞれ連通されると共に回転部材の回転方向に延びるクリアランス３６、３８が形成され、第２の固定部材に、内部空間に位置され回転方向に延びると共に回転方向以外の方向において並ぶ第１の凹部１５と第２の凹部１６を形成し、第３の固定部材に、内部空間に位置され回転方向に延びると共に回転方向以外の方向において並ぶ第１の凹部２２と第２の凹部２３を形成した。【選択図】        図４
2012168389.tif 000002
【特許請求の範囲】
【請求項１】
固定された状態で配置された少なくとも一つの固定部材と、
前記固定部材に対して回転可能な回転部材とを備え、
前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、
前記固定部材に、前記内部空間に位置され前記回転方向に延びると共に前記回転方向以外の方向において並ぶ複数の凹部が形成された
防塵構造。
【請求項２】
前記凹部が、前記回転部材の回転軸に直交する方向に開口された
請求項１に記載の防塵構造。
【請求項３】
前記複数の凹部のうち前記クリアランスの最も近くに位置する前記凹部の開口面の向く方向が前記クリアランスを向く方向とされた
請求項２に記載の防塵構造。
【請求項４】
前記複数の凹部が前記回転方向に直交する方向において並んで形成された
請求項１に記載の防塵構造。
【請求項５】
前記複数の凹部が立壁部によって仕切られており、
前記立壁部の先端縁のうち前記クリアランス側に位置する部分が角張った角部として設けられ、
前記立壁部の先端縁のうち前記内部空間における奥側に位置する部分が曲面状に形成された曲面部として設けられた
請求項１に記載の防塵構造。
【請求項６】
前記回転部材に、前記内部空間に位置し前記内部空間の奥側へ行くに従って前記回転部材の回転軸に近付く方向へ傾斜する受け面が形成され、
少なくとも一つの前記凹部の開口面に対向して前記受け面が位置されるようにした
請求項１に記載の防塵構造。
【請求項７】
前記固定部材に、少なくとも一つの前記凹部と前記外部空間に連通する排出孔が形成された
請求項１に記載の防塵構造。
【請求項８】
前記複数の凹部が立壁部によって仕切られており、
前記立壁部に隣接して位置する前記凹部間を連通する切欠部が形成された
請求項７に記載の防塵構造。
【請求項９】
前記排出孔と前記切欠部が前記回転部材の回転方向において離隔する位置に形成された
請求項８に記載の防塵構造。
【請求項１０】
前記内部空間における前記クリアランスに連続する空間が前記内部空間の奥側へ行くに従って広くなるように形成された
請求項１に記載の防塵構造。
【請求項１１】
前記内部空間に、前記固定部材に取り付けられる被取付部と弾性変形可能とされ弾性変形された状態で前記回転部材に押し付けられる変形部とを有し環状に形成されたパッキンが配置され、
前記パッキンが前記内部空間において前記複数の凹部の奥側に配置された
請求項１に記載の防塵構造。
【請求項１２】
前記パッキンの変形部が前記固定部材に対して離隔して位置された
請求項１１に記載の防塵構造。
【請求項１３】
前記内部空間に前記凹部を形成する立壁部が設けられ、
前記立壁部と前記パッキンによって、前記内部空間において最も奥側に位置する前記凹部に並び前記回転方向に延びる凹状空間が形成された
請求項１１に記載の防塵構造。
【請求項１４】
前記パッキンの変形部が前記被取付部から突出された第１の部分と前記第１の部分に連続され前記第１の部分に対して屈曲された第２の部分とによって構成された
請求項１１に記載の防塵構造。
【請求項１５】
前記回転部材に、円環状に形成され回転操作される被操作部と前記被操作部の内周面から内方へ張り出された内側配置部とが設けられ、
前記パッキンの変形部が前記回転部材の内側配置部に対して傾斜した状態で押し付けられるようにした
請求項１１に記載の防塵構造。
【請求項１６】
前記回転部材の内側配置部に、前記回転部材の前記固定部材に対する回転時に前記固定部材の一部に摺動される複数の摺動部が設けられ、
前記複数の摺動部が前記内部空間における前記パッキンの奥側に位置された
請求項１５に記載の防塵構造。
【請求項１７】
内部に光学系が配置されたレンズ鏡筒と前記光学系を介して取り込まれた光学像を電気的信号に変換する撮像素子と前記光学系を動作させる光学操作部とを備え、
前記光学操作部は、
固定された状態で配置された少なくとも一つの固定部材と、
前記固定部材に対して回転可能な回転部材とを備え、
前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、
前記固定部材に、前記内部空間に位置され前記回転方向に延びると共に前記回転方向以外の方向において並ぶ複数の凹部が形成された
撮像装置。
【発明の詳細な説明】
【技術分野】
【０００１】
本技術は防塵構造及び撮像装置についての技術分野に関する。詳しくは、固定部材に対して回転される回転部材の回転方向以外の方向において並ぶ複数の凹部を形成して内部空間の奥側への塵埃の侵入を抑制する技術分野に関する。
【背景技術】
【０００２】
ビデオカメラやスチルカメラ等の各種の撮像装置にあっては、内部にレンズ等の光学系が配置されたレンズ鏡筒が設けられ、レンズ鏡筒の光学系を介して被写体の画像が取り込まれることにより撮影が行われる。
【０００３】
このような撮像装置にあっては、固定部材と固定部材に対して回転される回転部材とを有する光学操作部が設けられているものがある。光学操作部において、回転部材が固定部材に対して回転されると、例えば、レンズ鏡筒のレンズ群が光軸方向へ移動されてズーミングやフォーカシングが行われたりアイリス羽根が開閉されて光量の調整が行われる。
【０００４】
上記のような撮像装置においては、回転部材を固定部材に対して円滑に回転させるために固定部材と回転部材の間に所定のクリアランスが形成されている。
【０００５】
しかしながら、固定部材と回転部材の間にクリアランスが形成されているために、このクリアランスから塵、埃、水分等の異物が固定部材及び回転部材の外側に位置する外部空間から固定部材及び回転部材の間に位置する内部空間に侵入してしまう。これらの異物である塵埃等が内部空間に侵入すると、固定部材と回転部材の間に塵埃等が詰まってしまい、回転部材の固定部材に対する円滑な回転動作が損なわれるおそれがある。
【０００６】
そこで、従来の撮像装置には、固定部材と回転部材の間にＵ字状のパッキンを配置し、内部空間への塵埃等の侵入を防止するようにした撮像装置がある（例えば、特許文献１参照）。
【０００７】
【特許文献１】特開平５−２４１２７７号公報
【発明の開示】
【発明が解決しようとする課題】
【０００８】
ところが、特許文献１に記載された撮像装置にあっては、Ｕ字状のパッキンがクリアランス又はその近傍に配置されており、パッキンに塵埃等が蓄積されてパッキンが劣化し易い構造とされている。
【０００９】
従って、パッキンによる塵埃等の侵入を防止する効果が損なわれてしまうおそれがある。
【００１０】
そこで、本技術防塵構造及び撮像装置は、上記した問題点を克服し、内部空間の奥側への塵埃の侵入を抑制して回転部材の固定部材に対する円滑な回転動作を確保することを課題とする。
【課題を解決するための手段】
【００１１】
防塵構造は、上記した課題を解決するために、固定された状態で配置された少なくとも一つの固定部材と、前記固定部材に対して回転可能な回転部材とを備え、前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、前記固定部材に、前記内部空間に位置され前記回転方向に延びると共に前記回転方向以外の方向において並ぶ複数の凹部が形成されたものである。
【００１２】
従って、防塵構造にあっては、クリアランスから内部空間に侵入した塵埃等が複数の凹部に入り込む。
【００１３】
上記した防塵構造においては、前記凹部が、前記回転部材の回転軸に直交する方向に開口されていることが望ましい。
【００１４】
凹部が回転部材の回転軸に直交する方向に開口されていることにより、凹部に塵埃等が入り込み易い。
【００１５】
上記した防塵構造においては、前記複数の凹部のうち前記クリアランスの最も近くに位置する前記凹部の開口面の向く方向が前記クリアランスを向く方向とされることが望ましい。
【００１６】
複数の凹部のうちクリアランスの最も近くに位置する凹部の開口面の向く方向がクリアランスを向く方向とされることにより、クリアランスから侵入した塵埃等の多くがクリアランスの最も近くに位置する凹部に入り込む。
【００１７】
上記した防塵構造においては、前記複数の凹部が前記回転方向に直交する方向において並んで形成されることが望ましい。
【００１８】
複数の凹部が回転方向に直交する方向において並んで形成されることにより、クリアランスから侵入した塵埃等が内部空間の奥側へ入り込み難い。
【００１９】
上記した防塵構造においては、前記複数の凹部が立壁部によって仕切られており、前記立壁部の先端縁のうち前記クリアランス側に位置する部分が角張った角部として設けられ、前記立壁部の先端縁のうち前記内部空間における奥側に位置する部分が曲面状に形成された曲面部として設けられることが望ましい。
【００２０】
立壁部の先端縁のうちクリアランス側に位置する部分が角張った角部として設けられ内部空間における奥側に位置する部分が曲面状に形成された曲面部として設けられることにより、クリアランス側に位置する凹部に入り込んだ塵埃等が立壁部を内部空間における奥側に位置する凹部側へ乗り越え難く、内部空間における奥側に位置する凹部に入り込んだ塵埃等が立壁部をクリアランス側に位置する凹部側へ乗り越え易い。
【００２１】
上記した防塵構造においては、前記回転部材に、前記内部空間に位置し前記内部空間の奥側へ行くに従って前記回転部材の回転軸に近付く方向へ傾斜する受け面が形成され、少なくとも一つの前記凹部の開口面に対向して前記受け面が位置されるようにすることが望ましい。
【００２２】
回転部材に、内部空間に位置し内部空間の奥側へ行くに従って回転部材の回転軸に近付く方向へ傾斜する受け面が形成され、少なくとも一つの凹部の開口面に対向して受け面が位置されるようにすることにより、立壁部を乗り越える塵埃等が受け面に接触し易い。
【００２３】
上記した防塵構造においては、前記固定部材に、少なくとも一つの前記凹部と前記外部空間に連通する排出孔が形成されることが望ましい。
【００２４】
固定部材に、少なくとも一つの凹部と外部空間に連通する排出孔が形成されることにより、内部空間に侵入した塵埃等が排出孔から外部空間に排出される。
【００２５】
上記した防塵構造においては、前記複数の凹部が立壁部によって仕切られており、前記立壁部に隣接して位置する前記凹部間を連通する切欠部が形成されていることが望ましい。
【００２６】
複数の凹部が立壁部によって仕切られており、立壁部に隣接して位置する凹部間を連通する切欠部が形成されていることにより、内部空間に侵入した塵埃等が並んで形成された隣り合う凹部に切欠部を介して入り込む。
【００２７】
上記した防塵構造においては、前記排出孔と前記切欠部が前記回転部材の回転方向において離隔する位置に形成されることが望ましい。
【００２８】
排出孔と切欠部が回転部材の回転方向において離隔する位置に形成されることにより、塵埃等が排出孔から凹部に侵入した場合において、塵埃等が並んで形成された隣り合う凹部に入り込み難い。
【００２９】
上記した防塵構造においては、前記内部空間における前記クリアランスに連続する空間が前記内部空間の奥側へ行くに従って広くなるように形成されることが望ましい。
【００３０】
内部空間におけるクリアランスに連続する空間が内部空間の奥側へ行くに従って広くなるように形成されることにより、固定部材と回転部材の間に塵埃等が詰まり難い。
【００３１】
上記した防塵構造においては、前記内部空間に、前記固定部材に取り付けられる被取付部と弾性変形可能とされ弾性変形された状態で前記回転部材に押し付けられる変形部とを有し環状に形成されたパッキンが配置され、前記パッキンが前記内部空間において前記複数の凹部の奥側に配置されることが望ましい。
【００３２】
内部空間にパッキンが配置されパッキンが内部空間において複数の凹部の奥側に配置されることにより、複数の凹部に入り込まなかった塵埃等の内部空間の奥側への入り込みがパッキンによって規制される。
【００３３】
上記した防塵構造においては、前記パッキンの変形部が前記固定部材に対して離隔して位置されていることが望ましい。
【００３４】
パッキンの変形部が固定部材に対して離隔して位置されていることにより、変形部の変形が固定部材によって規制されない。
【００３５】
上記した防塵構造においては、前記内部空間に前記凹部を形成する立壁部が設けられ、前記立壁部と前記パッキンによって、前記内部空間において最も奥側に位置する前記凹部に並び前記回転方向に延びる凹状空間が形成されることが望ましい。
【００３６】
立壁部とパッキンによって内部空間において最も奥側に位置する凹部に並び回転方向に延びる凹状空間が形成されることにより、複数の凹部とともに塵埃等の侵入経路の距離が大きくなる。
【００３７】
上記した防塵構造においては、前記パッキンの変形部が前記被取付部から突出された第１の部分と前記第１の部分に連続され前記第１の部分に対して屈曲された第２の部分とによって構成されることが望ましい。
【００３８】
パッキンの変形部が被取付部から突出された第１の部分と第１の部分に連続され第１の部分に対して屈曲された第２の部分とによって構成されることにより、変形部の剛性が高くなる。
【００３９】
上記した防塵構造においては、前記回転部材に、円環状に形成され回転操作される被操作部と前記被操作部の内周面から内方へ張り出された内側配置部とが設けられ、前記パッキンの変形部が前記回転部材の内側配置部に対して傾斜した状態で押し付けられるようにすることが望ましい。
【００４０】
回転部材に内側配置部が設けられ、パッキンの変形部が回転部材の内側配置部に対して傾斜した状態で押し付けられるようにすることにより、パッキンの回転部材に対する接触面積が小さくなる。
【００４１】
上記した防塵構造においては、前記回転部材の内側配置部に、前記回転部材の前記固定部材に対する回転時に前記固定部材の一部に摺動される複数の摺動部が設けられ、前記複数の摺動部が前記内部空間における前記パッキンの奥側に位置されることが望ましい。
【００４２】
回転部材の内側配置部に複数の摺動部が設けられ複数の摺動部が内部空間におけるパッキンの奥側に位置されることにより、回転部材の摺動部と固定部材の間に塵埃等が詰まることがない。
【００４３】
撮像装置は、上記した課題を解決するために、内部に光学系が配置されたレンズ鏡筒と前記光学系を介して取り込まれた光学像を電気的信号に変換する撮像素子と前記光学系を動作させる光学操作部とを備え、前記光学操作部は、固定された状態で配置された少なくとも一つの固定部材と、前記固定部材に対して回転可能な回転部材とを備え、前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、前記固定部材に、前記内部空間に位置され前記回転方向に延びると共に前記回転方向以外の方向において並ぶ複数の凹部が形成されたものである。
【００４４】
従って、撮像装置にあっては、クリアランスから内部空間に侵入した塵埃等が複数の凹部に入り込む。
【発明の効果】
【００４５】
本技術防塵構造は、固定された状態で配置された少なくとも一つの固定部材と、前記固定部材に対して回転可能な回転部材とを備え、前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、前記固定部材に、前記内部空間に位置され前記回転方向に延びると共に前記回転方向以外の方向において並ぶ複数の凹部が形成されている。
【００４６】
従って、複数の凹部によって内部空間の奥側への塵埃の侵入が抑制されて回転部材の固定部材に対する円滑な回転動作を確保することができる。
【００４７】
請求項２に記載した技術にあっては、前記凹部が、前記回転部材の回転軸に直交する方向に開口されている。
【００４８】
従って、複数の凹部に塵埃等を入り込ませ易く、内部空間の奥側への塵埃の侵入を効果的に抑制することができる。
【００４９】
請求項３に記載した技術にあっては、前記複数の凹部のうち前記クリアランスの最も近くに位置する前記凹部の開口面の向く方向が前記クリアランスを向く方向とされている。
【００５０】
従って、クリアランスから侵入した塵埃等の多くを確実にクリアランスの最も近くに位置する凹部に入り込ませることが可能であり、内部空間の奥側への塵埃等の侵入を抑制することができる。
【００５１】
請求項４に記載した技術にあっては、前記複数の凹部が前記回転方向に直交する方向において並んで形成されている。
【００５２】
従って、クリアランスから侵入した塵埃等が内部空間の奥側へ入り込み難く、内部空間の奥側への塵埃の侵入を効果的に抑制することができる。
【００５３】
請求項５に記載した技術にあっては、前記複数の凹部が立壁部によって仕切られており、前記立壁部の先端縁のうち前記クリアランス側に位置する部分が角張った角部として設けられ、前記立壁部の先端縁のうち前記内部空間における奥側に位置する部分が曲面状に形成された曲面部として設けられている。
【００５４】
従って、クリアランス側に位置する凹部に入り込んだ塵埃等が立壁部を内部空間における奥側に位置する凹部側へ乗り越え難く、内部空間における奥側に位置する凹部に入り込んだ塵埃等が立壁部をクリアランス側に位置する凹部側へ乗り越え易く、内部空間の奥側への塵埃等の侵入量を低減することができる。
【００５５】
請求項６に記載した技術にあっては、前記回転部材に、前記内部空間に位置し前記内部空間の奥側へ行くに従って前記回転部材の回転軸に近付く方向へ傾斜する受け面が形成され、少なくとも一つの前記凹部の開口面に対向して前記受け面が位置されるようにしている。
【００５６】
従って、立壁部を乗り越える塵埃等が受け面に接触して凹部に入り込み易く、内部空間の奥側への塵埃等の侵入を抑制することができる。
【００５７】
請求項７に記載した技術にあっては、前記固定部材に、少なくとも一つの前記凹部と前記外部空間に連通する排出孔が形成されている。
【００５８】
従って、内部空間に侵入した塵埃等を外部空間に排出することができ、内部空間への塵埃等の蓄積を抑制することができる。
【００５９】
請求項８に記載した技術にあっては、前記複数の凹部が立壁部によって仕切られており、前記立壁部に隣接して位置する前記凹部間を連通する切欠部が形成されている。
【００６０】
従って、内部空間に侵入した塵埃等を切欠部を介して外部空間に排出することが可能であり、内部空間への塵埃等の蓄積を抑制することができる。
【００６１】
請求項９に記載した技術にあっては、前記排出孔と前記切欠部が前記回転部材の回転方向において離隔する位置に形成されている。
【００６２】
従って、塵埃等が排出孔から凹部に侵入した場合においても、凹部に侵入した塵埃等が隣り合う凹部に侵入し難く、内部空間の奥側への塵埃等の侵入を抑制することができる。
【００６３】
請求項１０に記載した技術にあっては、前記内部空間における前記クリアランスに連続する空間が前記内部空間の奥側へ行くに従って広くなるように形成されている。
【００６４】
従って、固定部材と回転部材の間に塵埃等が詰まり難く、回転部材の円滑な回転動作を確保することができる。
【００６５】
請求項１１に記載した技術にあっては、前記内部空間に、前記固定部材に取り付けられる被取付部と弾性変形可能とされ弾性変形された状態で前記回転部材に押し付けられる変形部とを有し環状に形成されたパッキンが配置され、前記パッキンが前記内部空間において前記複数の凹部の奥側に配置されている。
【００６６】
従って、パッキンによって複数の凹部に入り込まなかった塵埃等の内部空間の奥側への侵入を防止することができる。
【００６７】
請求項１２に記載した技術にあっては、前記パッキンの変形部が前記固定部材に対して離隔して位置されている。
【００６８】
従って、変形部が固定部材に接することがないため、変形部の変形が規制されることがなく、パッキンの良好な機能を確保することができる。
【００６９】
請求項１３に記載した技術にあっては、前記内部空間に前記凹部を形成する立壁部が設けられ、前記立壁部と前記パッキンによって、前記内部空間において最も奥側に位置する前記凹部に並び前記回転方向に延びる凹状空間が形成されている。
【００７０】
従って、複数の凹部とともに塵埃等の侵入経路の距離を大きくすることができ、その分、塵埃等の内部空間の奥側への塵埃等の侵入を抑制することができる。
【００７１】
請求項１４に記載した技術にあっては、前記パッキンの変形部が前記被取付部から突出された第１の部分と前記第１の部分に連続され前記第１の部分に対して屈曲された第２の部分とによって構成されている。
【００７２】
従って、変形部の剛性が高くなり、パッキンの塑性変形や損傷の発生を抑制することができる。
【００７３】
請求項１５に記載した技術にあっては、前記回転部材に、円環状に形成され回転操作される被操作部と前記被操作部の内周面から内方へ張り出された内側配置部とが設けられ、前記パッキンの変形部が前記回転部材の内側配置部に対して傾斜した状態で押し付けられるようにしている。
【００７４】
従って、パッキンの回転部材に対する接触面積が小さく、回転部材が回転したときのパッキンの回転部材に対する負荷が小さく、回転部材の円滑な回転動作を確保することができる。
【００７５】
請求項１６に記載した技術にあっては、前記回転部材の内側配置部に、前記回転部材の前記固定部材に対する回転時に前記固定部材の一部に摺動される複数の摺動部が設けられ、前記複数の摺動部が前記内部空間における前記パッキンの奥側に位置されている。
【００７６】
従って、回転部材の摺動部と固定部材の間に塵埃等が詰まることがなく、回転部材の円滑な回転動作を確保することができる。
【００７７】
本技術撮像装置は、内部に光学系が配置されたレンズ鏡筒と前記光学系を介して取り込まれた光学像を電気的信号に変換する撮像素子と前記光学系を動作させる光学操作部とを備え、前記光学操作部は、固定された状態で配置された少なくとも一つの固定部材と、前記固定部材に対して回転可能な回転部材とを備え、前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、前記固定部材に、前記内部空間に位置され前記回転方向に延びると共に前記回転方向以外の方向において並ぶ複数の凹部が形成されている。
【００７８】
従って、複数の凹部によって内部空間の奥側への塵埃の侵入が抑制されて回転部材の固定部材に対する円滑な回転動作を確保することができる。
【発明を実施するための最良の形態】
【００７９】
以下に、本技術を実施するための最良の形態を添付図面に従って説明する。
【００８０】
以下に示した最良の形態は、本技術撮像装置をビデオカメラに適用し、本技術防塵構造をこのビデオカメラに設けられた防塵構造に適用したものである。尚、本技術の適用範囲はビデオカメラに限られることはなく、例えば、スチルカメラや他の機器に組み込まれる各種の撮像装置及びこれに設けられる防塵構造に広く適用することができる。
【００８１】
以下の説明にあっては、ビデオカメラの撮影時において撮影者から見た方向で前後上下左右の方向を示すものとする。従って、被写体側が前方となり、撮影者側が後方となる。
【００８２】
尚、以下に示す前後上下左右の方向は説明の便宜上のものであり、本技術の実施に関しては、これらの方向に限定されることはない。
【００８３】
［撮像装置の概略構成］
撮像装置１は本体２の内外に所要の各部が配置されて成る（図１参照）。本体２の外面には複数の操作部３、３、・・・が配置されている。操作部３、３、・・・としては、例えば、電源釦、録画釦、ズームスイッチ、モード切替摘子等が設けられている。
【００８４】
撮像装置１には表示パネル部４及びビューファインダー５等の各部が設けられている。
【００８５】
表示パネル部４は本体２に対して側方へ開閉可能とされており、例えば、液晶ディスプレイ等の図示しない表示面を有している。表示パネル部４の表示面によって撮影時に被写体の状態を確認することが可能とされている他、撮影した画像や映像を表示面に表示して再生することが可能とされている。
【００８６】
ビューファインダー５は本体２の後端部に設けられており、ビューファインダー５によって撮影時に被写体の状態を確認することが可能とされている。
【００８７】
本体２の内部には図示しないレンズ鏡筒が配置されている。レンズ鏡筒は内部に複数のレンズ群やアイリス羽根等の光学系を有している。レンズ群が光軸方向へ移動されることによりズーミングやフォーカシングが行われたりアイリス羽根が開閉されて光量の調整が行われる。
【００８８】
レンズ群の後方には図示しない撮像素子が配置されている。撮像素子としては、例えば、ＣＣＤ（Charge Coupled Device）やＣＭＯＳ（Complementary Metal-Oxide Semiconductor）等が用いられている。
【００８９】
［光学操作部の構造（防塵構造）］
本体２の前端部にはレンズ群等の光学系を動作させる光学操作部が６が設けられている（図１及び図２参照）。光学操作部６の内部には塵埃や水分等の塵埃等が内部に侵入したときに、侵入した塵埃等について対処を行うための防塵構造が設けられている。
【００９０】
光学操作部６は固定された状態で配置された第１の固定部材７と第２の固定部材８と第３の固定部材９と第１の固定部材７、第２の固定部材８及び第３の固定部材９に対して回転される回転部材１０とを有している（図３及び図４参照）。第１の固定部材７と第２の固定部材８と第３の固定部材９は前側から順に配置されている。
【００９１】
第１の固定部材７は軸方向が前後方向とされた略円環状に形成され後方に開口された挿入用凹部７ａを有している。挿入用凹部７ａは環状に形成されている。第１の固定部材７の外周部１１は他の部分より後方へ突出され、外周部１１の内周部には後方及び内方へ開口された環状の逃げ凹部１１ａが形成されている。外周部１１の外周側の端部における後面は対向面１１ｂとして形成され、対向面１１ｂの内周側に連続する面が内方へ行くに従って前方へ変位する傾斜面１１ｃとして形成されている。
【００９２】
第２の固定部材８は軸方向が前後方向とされた環状に形成され、前方へ突出された環状の挿入用突部８ａを有している。第２の固定部材８の内周部には前方及び内方に開口された環状の取付用凹部８ｂが形成されている。第２の固定部材８の内周部には取付用凹部８ｂの後側に環状の配置用凹部８ｃが形成され、配置用凹部８ｃは後方に開口されている。
【００９３】
第２の固定部材８の外周寄りの位置には後方に開口された環状の圧入用凹部８ｄが形成されている。第２の固定部材８には圧入用凹部８ｄの内側に連続する部分が環状の摺動突部８ｅとして設けられ、摺動突部８ｅは後方へ突出されている。
【００９４】
第２の固定部材８の外周面には外方へ突出されそれぞれ環状に形成された第１の立壁部１２と第２の立壁部１３と第３の立壁部１４が前側から順に設けられている。第１の立壁部１２と第２の立壁部１３と第３の立壁部１４は前後方向において離隔して位置され、第１の立壁部１２と第２の立壁部１３の間の空間が第１の凹部１５として形成され、第２の立壁部１３と第３の立壁部１４の間の空間が第２の凹部１６として形成されている。
【００９５】
第２の立壁部１３は、図５に示すように、先端縁の前端部が角張った形状に形成された角部１３ａとして設けられ、先端縁の後端部が曲面状に形成された曲面部１３ｂとして設けられている。第２の立壁部１３には、その下端部よりも稍周方向に離隔した位置に切欠部１３ｃが形成され（図６参照）、切欠部１３ｃによって第１の凹部１５と第２の凹部１６が連通されている。
【００９６】
第３の立壁部１４は、図５に示すように、先端縁の前端部が角張った形状に形成された角部１４ａとして設けられ、先端縁の後端部が曲面状に形成された曲面部１４ｂとして設けられている。第３の立壁部１４は外周面が第２の立壁部１３の外周面より稍内側に位置されている（図３及び図４参照）。
【００９７】
第２の固定部材８は挿入用突部８ａが第１の固定部材７の挿入用凹部７ａに後方から挿入された状態で固定されている。第２の固定部材８が固定された状態においては、第１の立壁部１２が第１の固定部材７の逃げ凹部１１ａに後方から挿入された状態とされ、第２の固定部材８の内周部が第１の固定部材７より内方へ突出して位置される。
【００９８】
第３の固定部材９は軸方向が前後方向とされた環状に形成され、外周側に位置する外側部１７と内周側に位置する内側部１８とから成る。内側部１８は外側部１７の内周部から前方へ突出されている。
【００９９】
外側部１７には前方に開口された環状の圧入用凹部１７ａが形成されている。外側部１７には圧入用凹部１７ａの内側に連続する部分が環状の摺動突部１７ｂとして設けられ、摺動突部１７ｂは前方へ突出されている。
【０１００】
外側部１７の外周面には外方へ突出されそれぞれ環状に形成された第１の立壁部１９と第２の立壁部２０と第３の立壁部２１が後側から順に設けられている。第１の立壁部１９と第２の立壁部２０と第３の立壁部２１は前後方向において離隔して位置され、第１の立壁部１９と第２の立壁部２０の間の空間が第１の凹部２２として形成され、第２の立壁部２０と第３の立壁部２１の間の空間が第２の凹部２３として形成されている。
【０１０１】
第１の立壁部１９の外周側の端部における前面は対向面１９ａとして形成されている。
【０１０２】
第２の立壁部２０は、図５に示すように、先端縁の後端部が角張った形状に形成された角部２０ａとして設けられ、先端縁の前端部が曲面状に形成された曲面部２０ｂとして設けられている。第２の立壁部２０は外周面が第１の立壁部１９の外周面より内側に位置されている（図３及び図４参照）。第２の立壁部２０には、その下端部よりも稍周方向に離隔した位置に切欠部２０ｃが形成され（図７参照）、切欠部２０ｃによって第１の凹部２２と第２の凹部２３が連通されている。
【０１０３】
第３の立壁部２１は、図５に示すように、先端縁の後端部が角張った形状に形成された角部２１ａとして設けられ、先端縁の前端部が曲面状に形成された曲面部２１ｂとして設けられている。第３の立壁部２１は外周面が第２の立壁部２０の外周面より稍内側に位置されている（図３及び図４参照）。
【０１０４】
内側部１８の外周面のうち前後方向における中央部は、環状の摺動面部１８ａとして形成されている。内側部１８の内周部には前方へ突出された環状の保持突部１８ｂが設けられている。
【０１０５】
第３の固定部材９は内側部１８が第２の固定部材８の内周部に後方から突き当てられた状態で固定されている。第３の固定部材９が固定された状態においては、内側部１８の保持突部１８ｂが第２の固定部材８の配置用凹部８ｃに挿入される。
【０１０６】
第２の固定部材８の配置用凹部８ｃには環状の封止ゴム２４が挿入されている。従って、封止ゴム２４に内側部１８の保持突部１８ｂが後方から押し付けられ、第２の固定部材８と第３の固定部材９が封止ゴム２４によって封止される。
【０１０７】
第２の固定部材８にはカバーレンズ２５が取り付けられている。カバーレンズ２５は外周部が取付用凹部８ｂに挿入され、例えば、接着等によって第２の固定部材８に取り付けられている。
【０１０８】
第２の固定部材８には第１のパッキン２６が取り付けられている。第１のパッキン２６はゴム等の弾性を有する材料によって環状に形成され、被取付部２７と被取付部２７から後斜め外方へ突出された変形部２８とから成る。
【０１０９】
被取付部２７は断面形状が矩形状に形成されている。
【０１１０】
変形部２８は後斜め外方へ延びる第１の部分２８ａと第１の部分２８ａの後端部から前斜め外方へ突出された第２の部分２８ｂとから成り、略直交するように屈曲された形状に形成されている。変形部２８の後方側の面にはフッ素樹脂によるコーティングが施されている。
【０１１１】
上記のように第１のパッキン２６の変形部２８が第１の部分２８ａと第１の部分２８ａに連続され第１の部分２８ａに対して屈曲された第２の部分２８ｂとによって構成されることにより、変形部２８の剛性が高くなり、第１のパッキン２６の塑性変形や損傷の発生を抑制することができる。
【０１１２】
第１のパッキン２６は被取付部２７が圧入用凹部８ｄに圧入されることにより第２の固定部材８に取り付けられる。
【０１１３】
第３の固定部材９には第２のパッキン２９が取り付けられている。第２のパッキン２９はゴム等の弾性を有する材料によって環状に形成され、被取付部３０と被取付部３０から前斜め外方へ突出された変形部３１とから成る。
【０１１４】
被取付部３０は断面形状が矩形状に形成されている。
【０１１５】
変形部３１は前斜め外方へ延びる第１の部分３１ａと第１の部分３１ａの前端部から後斜め外方へ突出された第２の部分３１ｂとから成り、略直交するように屈曲された形状に形成されている。変形部３１の前方側の面にはフッ素樹脂によるコーティングが施されている。
【０１１６】
上記のように第２のパッキン２９の変形部３１が第１の部分３１ａと第１の部分３１ａに連続され第２の部分３１ａに対して屈曲された第２の部分３１ｂとによって構成されることにより、変形部３１の剛性が高くなり、第２のパッキン２９の塑性変形や損傷の発生を抑制することができる。
【０１１７】
第２のパッキン２９は被取付部３０が圧入用凹部１７ａに圧入されることにより第３の固定部材９に取り付けられる。
【０１１８】
回転部材１０は被操作部３２と被操作部３２の前後方向における中央部から内方へ張り出された内側配置部３３とから成る。
【０１１９】
被操作部３２は前後の幅が広い略円環状に形成され、ベース部３４とベース部３４の外周面に周方向に交互に凹部と凸部が並らぶ凹凸部３５とを有している。
【０１２０】
ベース部３４の前面における外側の端部は対向面３４ａとして形成され、ベース部３４の前面における対向面３４ａの内周側に連続する面は内方へ行くに従って後方へ傾斜する傾斜面３４ｂとして形成されている。ベース部３４の後面における外側の端部は対向面３４ｃとして形成され、ベース部３４の後面における対向面３４ｃの内周側に連続する面は内方へ行くに従って前方へ傾斜する傾斜面３４ｄとして形成されている。
【０１２１】
ベース部３４の下面における前端部と後端部はそれぞれ受け面３４ｅ、３４ｆとして形成されている。受け面３４ｅは後方へ行くに従って内方へ傾斜するように形成され、受け面３４ｆは前方へ行くに従って内方へ傾斜するように形成されている。
【０１２２】
内側配置部３３の前面と後面の半径方向における略中央部はそれぞれ摺動部３３ａ、３３ｂとして形成され、内側配置部３３の内周面は摺動部３３ｃとして形成されている。
【０１２３】
回転部材１０は被操作部３２が第１の固定部材７の外周部１１と第３の固定部材９の第１の立壁部１９との間に位置され内側配置部３３が第２の固定部材８と第３の固定部材９の間に位置される。
【０１２４】
被操作部３２が第１の固定部材７の外周部１１と第３の固定部材９の第１の立壁部１９との間に位置された状態においては、外周部１１の対向面１１ｂと被操作部３２の対向面３４ａとが前後で対向した状態とされ、両者の間に僅かな隙間、即ち、クリアランス３６が形成される。
【０１２５】
被操作部３２の下端部と第１の固定部材７の外周部１１の下端部との間においても、対向面１１ｂと対向面３４ａが前後で対向して位置されているが、この下端部においては対向面１１ｂと対向面３４ａの間の隙間がクリアランス３６より大きくされて排出孔３７として形成されている（図３及び図６参照）。
【０１２６】
また、被操作部３２が第１の固定部材７の外周部１１と第３の固定部材９の第１の立壁部１９との間に位置された状態においては、図３及び図４に示すように、第３の固定部材９の対向面１９ａと被操作部３２の対向面３４ｃとが前後で対向した状態とされ、両者の間に僅かな隙間、即ち、クリアランス３８が形成される。
【０１２７】
被操作部３２の下端部と第３の固定部材９の第１の立壁部１９の下端部との間においても、対向面１９ａと対向面３４ｃが前後で対向して位置されているが、この下端部においては対向面１９ａと対向面３４ｃの間の隙間がクリアランス３８より大きくされて排出孔３９として形成されている（図３及び図７参照）。
【０１２８】
クリアランス３６の内側には第２の固定部材８に形成された第１の凹部１５が位置され、クリアランス３８の内側には第３の固定部材９に形成された第１の凹部２２が位置される（図３及び図４参照）。即ち、第１の凹部１５の開口面の向く方向がクリアランス３６を向く方向とされ、第１の凹部２２の開口面の向く方向がクリアランス３８を向く方向とされている。
【０１２９】
第２の固定部材８の第２の凹部１６の外側には回転部材１０の受け面３４ｅが位置され、即ち、第２の凹部１６の開口面に対向して受け面３４ｅが位置されている。また、第３の固定部材９の第２の凹部２３の外側には回転部材１０の受け面３４ｆが位置され、即ち、第２の凹部２３の開口面に対向して受け面３４ｆが位置されている。
【０１３０】
内側配置部３３が第２の固定部材８と第３の固定部材９の間に位置された状態においては、第１のパッキン２６の変形部２８と第２のパッキン２９の変形部３１とがそれぞれ内側配置部３３の前後両面に弾性変形された状態で押し付けられる。
【０１３１】
このとき第１のパッキン２６の変形部２８は内側配置部３３に対して傾斜されており、第１の部分２８ａと第２の部分２８ｂの境界部分のみが内側配置部３３の前面に接触される。また、第２のパッキン２９の変形部３１は内側配置部３３に対して傾斜されており、第１の部分３１ａと第２の部分３１ｂの境界部分のみが内側配置部３３の後面に接触される。
【０１３２】
従って、第１のパッキン２６と第２のパッキン２９の回転部材１０に対する接触面積が小さく、回転部材１０が回転したときの第１のパッキン２６と第２のパッキン２９の回転部材１０に対する負荷が小さく、回転部材１０の円滑な回転動作を確保することができる。
【０１３３】
また、第１のパッキン２６の変形部２８の後面と第２のパッキン２９の変形部３１の前面とにはフッ素樹脂によるコーティングが施されているため、回転部材１０の回転時に円滑な回転動作が確保されると共に回転部材１０の内側配置部３３及び変形部２８、３１の摩耗を低減することができる。
【０１３４】
第１のパッキン２６の変形部２８が回転部材１０の内側配置部３３の前面に押し付けられた状態においては、第２の部分２８ｂの前端が第２の固定部材８から後方に離隔して位置されている。従って、変形部２８が第２の固定部材８に接することがないため、変形部２８の変形が規制されることがなく、第１のパッキン２６の良好な機能を確保することができる。
【０１３５】
また、第２のパッキン２９の変形部３１が回転部材１０の内側配置部３３の後面に押し付けられた状態においては、第２の部分３１ｂの後端が第３の固定部材９から前方に離隔して位置されている。従って、変形部３１が第３の固定部材９に接することがないため、変形部３１の変形が規制されることがなく、第２のパッキン２９の良好な機能を確保することができる。
【０１３６】
上記のように、回転部材１０が第１の固定部材７、第２の固定部材８及び第３の固定部材９に対して配置されて光学操作部６が構成されると、第２の固定部材８と回転部材１０の間に第１の内部空間４０が形成されると共に第３の固定部材９と回転部材１０の間に第２の内部空間４１が形成される。
【０１３７】
また、第１の内部空間４０のうち第２の固定部材８の第３の立壁部１４と第１のパッキン２６の変形部２８との間の空間が第１の凹状空間４２として形成され、第２の内部空間４１のうち第３の固定部材９の第３の立壁部２１と第２のパッキン２９の変形部３１との間の空間が第２の凹状空間４３として形成される。
【０１３８】
光学操作部６の外側の空間は外部空間４４とされ、外部空間４４はクリアランス３６を介して第１の内部空間４０に連通されると共にクリアランス３８を介して第２の内部空間４１に連通される。
【０１３９】
回転部材１０の摺動部３３ａ、３３ｂ、３３ｃはそれぞれ第２の固定部材８の摺動突部８ｅと第３の固定部材９の摺動突部１７ｂと第３の固定部材９の摺動面部１８ａに対向して位置されている。従って、回転部材１０の回転時には、摺動部３３ａ、３３ｂ、３３ｃがそれぞれ摺動突部８ｅ、１７ｂ及び摺動面部１８ａと摺動可能とされている。
【０１４０】
［塵埃等の内部空間への侵入］
以下に、光学操作部６の内部に塵埃や水分等の塵埃等が侵入したときの状態について説明する（図９参照）。
【０１４１】
先ず、塵埃等が第１の内部空間４０に侵入したときの状態について説明する。
【０１４２】
外部空間４４から塵埃等がクリアランス３６を介して第１の内部空間４０に侵入すると、侵入した塵埃等は多くが第１の凹部１５に入り込む（図９の経路Ａ）。このときクリアランス３６に連続する空間は第１の固定部材７の傾斜面１１ｃと回転部材１０の傾斜面３４ｂとによって第１の内部空間４０の奥側へ行くに従って広くなるようにされている。
【０１４３】
従って、第１の固定部材７の外周部１１と回転部材１０の被操作部３２との間に塵埃等が詰まり難く、回転部材１０の円滑な回転動作を確保することができる。
【０１４４】
尚、上記には、クリアランス３６に連続する空間が第１の固定部材７の傾斜面１１ｃと回転部材１０の傾斜面３４ｂとによって第１の内部空間４０の奥側へ行くに従って広くなるようにされた例を示した。しかしながら、傾斜面１１ｃ又は傾斜面３４ｂの一方によってクリアランス３６に連続する空間を第１の内部空間４０の奥側へ行くに従って広くなるようにすることも可能である。
【０１４５】
また、第１の凹部１５の開口面の向く方向がクリアランス３６を向く方向とされているため、クリアランス３６から侵入した塵埃等の多くを確実に第１の凹部２２に入り込ませることが可能であり、第１の内部空間４０の奥側への塵埃等の侵入を抑制することができる。
【０１４６】
第１の凹部１５に入り込んだ塵埃等は第１の凹部１５を下方へ向かって流動され、排出孔３７から外部空間４４へ排出される。
【０１４７】
このように第１の凹部１５と外部空間４４に連通された排出孔３７を形成することにより、第１の内部空間４０に侵入した塵埃等を外部空間４４に排出することができ、第１の内部空間４０への塵埃等の蓄積を抑制することができる。
【０１４８】
外部空間４４から侵入し第１の凹部１５に入り込まなかった塵埃等は第２の立壁部１３を乗り越えて第２の凹部１６に入り込むものがある（図９の経路Ｂ）。このとき第２の凹部１６の開口面に対向して回転部材１０の受け面３４ｅが位置され、受け面３４ｅが後方へ行くに従って内方へ傾斜するように形成されている。
【０１４９】
従って、第２の立壁部１３を乗り越える塵埃等が受け面３４ｅに接触して第２の凹部１６に入り込み易く、第１の内部空間４０の奥側への塵埃等の侵入を抑制することができる。
【０１５０】
また、第２の立壁部１３には、第１の凹部１５側に角張った角部１３ａが設けられ、第２の凹部１６側に曲面状の曲面部１３ｂが設けられている。
【０１５１】
従って、第１の凹部１５に入り込んだ塵埃等が第２の立壁部１３を第２の凹部１６側へ乗り越え難く、第２の凹部１６に入り込んだ塵埃等が第２の立壁部１３を第１の凹部１５側へ乗り越え易く、第１の内部空間４０の奥側への塵埃等の侵入量を低減することができる。
【０１５２】
第２の凹部１６に入り込んだ塵埃等は第２の凹部１６を下方へ向かって流動され、第２の立壁部１３の切欠部１３ｃから第１の凹部１５の下端部に入り込み、排出孔３７から外部空間４４へ排出される。
【０１５３】
このように第１の凹部１５と第２の凹部１６に連通された切欠部１３ｃを形成することにより、第１の内部空間４０に侵入した塵埃等を切欠部１３ｃを介して外部空間４４に排出することができ、第１の内部空間４０への塵埃等の蓄積を抑制することができる。
【０１５４】
また、排出孔３７と切欠部１３ｃは周方向、即ち、回転部材１０の回転方向において離隔する位置に形成されている。
【０１５５】
従って、塵埃等が排出孔３７から第１の凹部１５に侵入した場合においても、第１の凹部１５に侵入した塵埃等が第２の凹部１６に侵入し難く、第１の内部空間４０の奥側への塵埃等の侵入を抑制することができる。
【０１５６】
外部空間４４から侵入し第１の凹部１５及び第２の凹部１６に入り込まなかった塵埃等は第３の立壁部１４を乗り越えて第１の凹状空間４２に入り込むものがある（図９の経路Ｃ）。
【０１５７】
このように第１の凹状空間４２を形成することにより、第１の凹部１５と第２の凹部１６とともに塵埃等の侵入経路の距離を大きくすることができ、その分、塵埃等の第１の内部空間４０の奥側への塵埃等の侵入を抑制することができる。
【０１５８】
第３の立壁部１４には、第２の凹部１６側に角張った角部１４ａが設けられ、第１の凹状空間４２側に曲面状の曲面部１４ｂが設けられている。
【０１５９】
従って、第２の凹部１６に入り込んだ塵埃等が第３の立壁部１４を第１の凹状空間４２側へ乗り越え難く、第１の凹状空間４２に入り込んだ塵埃等が第３の立壁部１４を第２の凹部１６側へ乗り越え易く、第１の内部空間４０の奥側への塵埃等の侵入量を低減することができる。
【０１６０】
第１の凹状空間４２に入り込んだ塵埃等は第１のパッキン２６によって第１の内部空間４０の奥側への侵入が防止される。
【０１６１】
従って、第１のパッキン２６を第１の凹部１５と第２の凹部１６の奥側に配置することにより、第１の凹部１５及び第２の凹部１６に入り込まなかった塵埃等の第１の内部空間４０の奥側への侵入を防止することができる。
【０１６２】
次に、塵埃等が第２の内部空間４１に侵入したときの状態について説明する。
【０１６３】
外部空間４４から塵埃等がクリアランス３８を介して第２の内部空間４１に侵入すると、侵入した塵埃等は多くが第１の凹部２２に入り込む（図９の経路Ｄ）。このときクリアランス３８に連続する空間は回転部材１０の傾斜面３４ｄによって第２の内部空間４１の奥側へ行くに従って広くなるようにされている。
【０１６４】
従って、第３の固定部材９の第１の立壁部１９と回転部材１０の被操作部３２との間に塵埃等が詰まり難く、回転部材１０の円滑な回転動作を確保することができる。
【０１６５】
尚、上記には、クリアランス３８に連続する空間が第３の固定部材９の外周部における前面と回転部材１０の傾斜面３４ｄとによって第２の内部空間４１の奥側へ行くに従って広くなるようにされた例を示した。しかしながら、第３の固定部材９の外周部に内方へ行くに従って後方へ傾斜する傾斜面を形成し、この傾斜面若しくは傾斜面３４ｄの一方又は第３の固定部材９の外周部に形成した傾斜面と傾斜面３４ｄによってクリアランス３８に連続する空間を第２の内部空間４１の奥側へ行くに従って広くなるようにすることも可能である。
【０１６６】
また、第１の凹部２２の開口面の向く方向がクリアランス３８を向く方向とされているため、クリアランス３８から侵入した塵埃等の多くを確実に第１の凹部２２に入り込ませることが可能であり、第２の内部空間４１の奥側への塵埃等の侵入を抑制することができる。
【０１６７】
第１の凹部２２に入り込んだ塵埃等は第１の凹部２２を下方へ向かって流動され、排出孔３９から外部空間４４へ排出される。
【０１６８】
このように第１の凹部２２と外部空間４４に連通された排出孔３９を形成することにより、第２の内部空間４１に侵入した塵埃等を外部空間４４に排出することができ、第２の内部空間４１への塵埃等の蓄積を抑制することができる。
【０１６９】
外部空間４４から侵入し第１の凹部２２に入り込まなかった塵埃等は第２の立壁部１９を乗り越えて第２の凹部２３に入り込むものがある（図９の経路Ｅ）。このとき第２の凹部２３の開口面に対向して回転部材１０の受け面３４ｆが位置され、受け面３４ｆが後方へ行くに従って内方へ傾斜するように形成されている。
【０１７０】
従って、第２の立壁部１９を乗り越える塵埃等が受け面３４ｆに接触して第２の凹部２３に入り込み易く、第２の内部空間４１の奥側への塵埃等の侵入を抑制することができる。
【０１７１】
また、第２の立壁部１９には、第１の凹部２２側に角張った角部２０ａが設けられ、第２の凹部２３側に曲面状の曲面部２０ｂが設けられている。
【０１７２】
従って、第１の凹部２２に入り込んだ塵埃等が第２の立壁部１９を第２の凹部２３側へ乗り越え難く、第２の凹部２３に入り込んだ塵埃等が第２の立壁部１９を第１の凹部２２側へ乗り越え易く、第２の内部空間４１の奥側への塵埃等の侵入量を低減することができる。
【０１７３】
第２の凹部２３に入り込んだ塵埃等は第２の凹部２３を下方へ向かって流動され、第２の立壁部１９の切欠部２０ｃから第１の凹部２２の下端部に入り込み、排出孔３９から外部空間４４へ排出される。
【０１７４】
このように第１の凹部２２と第２の凹部２３に連通された切欠部２０ｃを形成することにより、第２の内部空間４１に侵入した塵埃等を切欠部２０ｃを介して外部空間４４に排出することができ、第２の内部空間４１への塵埃等の蓄積を抑制することができる。
【０１７５】
また、排出孔３９と切欠部２０ｃは周方向、即ち、回転部材１０の回転方向において離隔する位置に形成されている。
【０１７６】
従って、塵埃等が排出孔３９から第１の凹部２２に侵入した場合においても、第１の凹部２２に侵入した塵埃等が第２の凹部２３に侵入し難く、第２の内部空間４１の奥側への塵埃等の侵入を抑制することができる。
【０１７７】
外部空間４４から侵入し第１の凹部２２及び第２の凹部２３に入り込まなかった塵埃等は第３の立壁部２０を乗り越えて第２の凹状空間４３に入り込むものがある（図９の経路Ｆ）。
【０１７８】
このように第２の凹状空間４３を形成することにより、第１の凹部２２と第２の凹部２３とともに塵埃等の侵入経路の距離を大きくすることができ、その分、塵埃等の第２の内部空間４１の奥側への塵埃等の侵入を抑制することができる。
【０１７９】
第３の立壁部２０には、第２の凹部２３側に角張った角部２１ａが設けられ、第２の凹状空間４３側に曲面状の曲面部２１ｂが設けられている。
【０１８０】
従って、第２の凹部２３に入り込んだ塵埃等が第３の立壁部２０を第２の凹状空間４３側へ乗り越え難く、第２の凹状空間４３に入り込んだ塵埃等が第３の立壁部２０を第２の凹部２３側へ乗り越え易く、第２の内部空間４１の奥側への塵埃等の侵入量を低減することができる。
【０１８１】
第２の凹状空間４３に入り込んだ塵埃等は第２のパッキン２９によって第２の内部空間４１の奥側への侵入が防止される。
【０１８２】
従って、第２のパッキン２９を第１の凹部２２と第２の凹部２３の奥側に配置することにより、第１の凹部２２及び第２の凹部２３に入り込まなかった塵埃等の第２の内部空間４１の奥側への侵入を防止することができる。
【０１８３】
［まとめ］
以上に記載した通り、撮像装置１及びこれに設けられた防塵構造にあっては、第１の固定部材７、第２の固定部材８及び第３の固定部材９に対して回転される回転部材１０を備え、第２の固定部材８と第３の固定部材９にそれぞれ回転部材１０の回転方向に延び回転方向以外の方向において並ぶ第１の凹部１５、第２の凹部１６、第１の凹部２２及び第２の凹部２３が形成されている。
【０１８４】
従って、第１の凹部１５、第２の凹部１６、第１の凹部２２及び第２の凹部２３によって第１の内部空間４０及び第２の内部空間４１の奥側への塵埃の侵入が抑制されて回転部材１０の第１の固定部材７、第２の固定部材８及び第３の固定部材９に対する円滑な回転動作を確保することができる。
【０１８５】
また、第１の凹部１５、第２の凹部１６、第１の凹部２２及び第２の凹部２３が回転部材の回転軸に直交する方向に開口されているため、第１の凹部１５、第２の凹部１６、第１の凹部２２及び第２の凹部２３に塵埃等を入り込ませ易く、第１の内部空間４０及び第２の内部空間４１の奥側への塵埃の侵入を効果的に抑制することができる。
【０１８６】
また、第１の凹部１５、第２の凹部１６、第１の凹部２２及び第２の凹部２３が回転部材１０の回転方向に直交する方向において並んで形成されているため、クリアランス３６とクリアランス３８から侵入した塵埃等が第１の内部空間４０及び第２の内部空間４１の奥側へ入り込み難く、第１の内部空間４０及び第２の内部空間４１の奥側への塵埃の侵入を効果的に抑制することができる。
【０１８７】
さらに、回転部材１０の摺動部３３ａ、３３ｂ、３３ｃが第１の内部空間４０又は第２の内部空間４１の第１のパッキン２６又は第２のパッキン２９の奥側に位置されている。
【０１８８】
従って、回転部材１０の摺動部３３ａ、３３ｂ、３３ｃと第２の固定部材８又は第３の固定部材９の摺動突部８ｅ、１７ｂ、摺動面部１８ａとの間に塵埃等が詰まることがなく、回転部材１０の円滑な回転動作を確保することができる。
【０１８９】
［その他］
上記には、第２の固定部材８に第１の凹部１５と第２の凹部１６の二つの凹部を形成し、第３の固定部材９に第１の凹部２２と第２の凹部２３の二つの凹部を形成した例を示したが、第２の固定部材８と第３の固定部材９に形成される凹部はそれぞれ二つに限られることはない。第２の固定部材８と第３の固定部材９には、三つ以上の凹部が形成されていてもよく、凹部の数は回転部材１０の回転方向と異なる方向に並んでいれば任意の数に定めることが可能である。
【０１９０】
［撮像装置の一実施形態］
図１０に、本技術撮像装置の一実施形態によるビデオカメラのブロック図を示す。
【０１９１】
撮像装置（ビデオカメラ）１００は、撮像機能を担うカメラブロック５０と、撮影された画像信号のアナログ−デジタル変換等の信号処理を行うカメラ信号処理部５１と、画像信号の記録再生処理を行う画像処理部５２とを有している。また、撮像装置１００は、撮影された画像等を表示する液晶パネル等の画像表示部５３と、メモリーカード１０００への画像信号の書込及び読出を行うＲ／Ｗ（リーダ／ライタ）５４と、撮像装置の全体を制御するＣＰＵ（Central Processing Unit）５５と、ユーザーによって所要の操作が行われる各種のスイッチ等から成る入力部５６と、カメラブロック５０に配置されたレンズの駆動を制御するレンズ駆動制御部５７とを備えている。
【０１９２】
カメラブロック５０は、レンズ群５８を含む光学系や、ＣＣＤ（Charge Coupled Device）やＣＭＯＳ（Complementary Metal-Oxide Semiconductor）等の撮像素子５９等とによって構成されている。
【０１９３】
カメラ信号処理部５１は、撮像素子５９からの出力信号に対するデジタル信号への変換、ノイズ除去、画質補正、輝度・色差信号への変換等の各種の信号処理を行う。
【０１９４】
画像処理部５２は、所定の画像データーフォーマットに基づく画像信号の圧縮符号化・伸張復号化処理や解像度等のデーター仕様の変換処理等を行う。
【０１９５】
画像表示部５３はユーザーの入力部５６に対する操作状態や撮影した画像等の各種のデーターを表示する機能を有している。
【０１９６】
Ｒ／Ｗ５４は、画像処理部５２によって符号化された画像データーのメモリーカード１０００への書込及びメモリーカード１０００に記録された画像データーの読出を行う。
【０１９７】
ＣＰＵ５５は、撮像装置１００に設けられた各回路ブロックを制御する制御処理部として機能し、入力部５６からの指示入力信号等に基づいて各回路ブロックを制御する。
【０１９８】
入力部５６は、例えば、シャッター操作を行うためのシャッターレリーズボタンや、動作モードを選択するための選択スイッチ等によって構成され、ユーザーによる操作に応じた指示入力信号をＣＰＵ５５に対して出力する。
【０１９９】
レンズ駆動制御部５７は、ＣＰＵ５５からの制御信号に基づいてレンズ群５８の各レンズを駆動する図示しないモータ等を制御する。
【０２００】
メモリーカード１０００は、例えば、Ｒ／Ｗ５４に接続されたスロットに対して着脱可能な半導体メモリーである。
【０２０１】
以下に、撮像装置１００における動作を説明する。
【０２０２】
撮影の待機状態では、ＣＰＵ５５による制御の下で、カメラブロック５０において撮影された画像信号が、カメラ信号処理部５１を介して画像表示部５３に出力され、カメラスルー画像として表示される。また、入力部５６からのズーミングのための指示入力信号が入力されると、ＣＰＵ５５がレンズ駆動制御部５７に制御信号を出力し、レンズ駆動制御部５７の制御に基づいてレンズ群５８の所定のレンズが移動される。
【０２０３】
入力部５６からの指示入力信号によりカメラブロック５０の図示しないシャッターが動作されると、撮影された画像信号がカメラ信号処理部５１から画像処理部５２に出力されて圧縮符号化処理され、所定のデーターフォーマットのデジタルデーターに変換される。変換されたデーターはＲ／Ｗ５４に出力され、メモリーカード１０００に書き込まれる。
【０２０４】
フォーカシングは、ＣＰＵ５５からの制御信号に基づいてレンズ駆動制御部５７がレンズ群５８の所定のレンズを移動させることにより行われる。
【０２０５】
メモリーカード１０００に記録された画像データーを再生する場合には、入力部５６に対する操作に応じて、Ｒ／Ｗ５４によってメモリーカード１０００から所定の画像データーが読み出され、画像処理部５２によって伸張復号化処理が行われた後、再生画像信号が画像表示部５３に出力されて再生画像が表示される。
【０２０６】
［本技術］
本技術は、以下のような構成とすることもできる。
【０２０７】
（１）固定された状態で配置された少なくとも一つの固定部材と、前記固定部材に対して回転可能な回転部材とを備え、前記固定部材と前記回転部材の間に、前記固定部材及び前記回転部材の外側に位置する外部空間と前記固定部材及び前記回転部材の間に位置する内部空間とに連通されると共に前記回転部材の回転方向に延びるクリアランスが形成され、前記固定部材に、前記内部空間に位置され前記回転方向に延びると共に前記回転方向以外の方向において並ぶ複数の凹部が形成された防塵構造。
【０２０８】
（２）前記凹部が、前記回転部材の回転軸に直交する方向に開口された前記（１）に記載の防塵構造。
【０２０９】
（３）前記複数の凹部のうち前記クリアランスの最も近くに位置する前記凹部の開口面の向く方向が前記クリアランスを向く方向とされた前記（２）に記載の防塵構造。
【０２１０】
（４）前記複数の凹部が前記回転方向に直交する方向において並んで形成された前記（１）から（３）の何れかに記載の防塵構造。
【０２１１】
（５）前記複数の凹部が立壁部によって仕切られており、前記立壁部の先端縁のうち前記クリアランス側に位置する部分が角張った角部として設けられ、前記立壁部の先端縁のうち前記内部空間における奥側に位置する部分が曲面状に形成された曲面部として設けられた前記（１）から（４）の何れかに記載の防塵構造。
【０２１２】
（６）前記回転部材に、前記内部空間に位置し前記内部空間の奥側へ行くに従って前記回転部材の回転軸に近付く方向へ傾斜する受け面が形成され、少なくとも一つの前記凹部の開口面に対向して前記受け面が位置されるようにした前記（１）から（５）の何れかに記載の防塵構造。
【０２１３】
（７）前記固定部材に、少なくとも一つの前記凹部と前記外部空間に連通する排出孔が形成された前記（１）から（６）の何れかに記載の防塵構造。
【０２１４】
（８）前記複数の凹部が立壁部によって仕切られており、前記立壁部に隣接して位置する前記凹部間を連通する切欠部が形成された前記（７）に記載の防塵構造。
【０２１５】
（９）前記排出孔と前記切欠部が前記回転部材の回転方向において離隔する位置に形成された前記（８）に記載の防塵構造。
【０２１６】
（１０）前記内部空間における前記クリアランスに連続する空間が前記内部空間の奥側へ行くに従って広くなるように形成された前記（１）から（９）の何れかに記載の防塵構造。
【０２１７】
（１１）前記内部空間に、前記固定部材に取り付けられる被取付部と弾性変形可能とされ弾性変形された状態で前記回転部材に押し付けられる変形部とを有し環状に形成されたパッキンが配置され、前記パッキンが前記内部空間において前記複数の凹部の奥側に配置された前記（１）から（１０）の何れかに記載の防塵構造。
【０２１８】
（１２）前記パッキンの変形部が前記固定部材に対して離隔して位置された前記（１１）に記載の防塵構造。
【０２１９】
（１３）前記内部空間に前記凹部を形成する立壁部が設けられ、前記立壁部と前記パッキンによって、前記内部空間において最も奥側に位置する前記凹部に並び前記回転方向に延びる凹状空間が形成された前記（１１）又は（１２）に記載の防塵構造。
【０２２０】
（１４）前記パッキンの変形部が前記被取付部から突出された第１の部分と前記第１の部分に連続され前記第１の部分に対して屈曲された第２の部分とによって構成された前記（１１）から（１３）の何れかに記載の防塵構造。
【０２２１】
（１５）前記回転部材に、円環状に形成され回転操作される被操作部と前記被操作部の内周面から内方へ張り出された内側配置部とが設けられ、前記パッキンの変形部が前記回転部材の内側配置部に対して傾斜した状態で押し付けられるようにした前記（１１）から（１４）の何れかに記載の防塵構造。
【０２２２】
（１６）前記回転部材の内側配置部に、前記回転部材の前記固定部材に対する回転時に前記固定部材の一部に摺動される複数の摺動部が設けられ、前記複数の摺動部が前記内部空間における前記パッキンの奥側に位置された前記（１５）に記載の防塵構造。
【０２２３】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２２４】
【図１】図２乃至図１０と共に本技術の最良の形態を示すものであり、本図は、撮像装置の概略斜視図である。
【図２】光学操作部の斜視図である。
【図３】光学操作部の断面図である。
【図４】光学操作部の一部を示す拡大断面図である。
【図５】立壁部等を示す拡大断面図である。
【図６】前側に形成された排出孔と切欠部等を示すための拡大斜視図である。
【図７】後側に形成された排出孔と切欠部等を示すための拡大斜視図である。
【図８】光学操作部の拡大底面図である。
【図９】塵埃等の経路等を説明するための拡大断面図である。
【図１０】撮像装置のブロック図である。
【符号の説明】
【０２２５】
１…撮像装置、７…第１の固定部材、８…第２の固定部材、９…第３の固定部材、１０…回転部材、１２…第１の立壁部、１３…第２の立壁部、１３ａ…角部、１３ｂ…曲面部、１３ｃ…切欠部、１４…第３の立壁部、１４ａ…角部、１４ｂ…曲面部、１５…第１の凹部、１６…第２の凹部、１９…第１の立壁部、２０…第２の立壁部、２０ａ…角部、２０ｂ…曲面部、２０ｃ…切欠部、２１…第３の立壁部、２１ａ…角部、２１ｂ…曲面部、２２…第１の凹部、２３…第２の凹部、２６…第１のパッキン、２７…被取付部、２８…変形部、２８ａ…第１の部分、２８ｂ…第２の部分、２９…第２のパッキン、３０…被取付部、３１…変形部、３１ａ…第１の部分、３１ｂ…第２の部分、３２…被操作部、３３…内側配置部、３３ａ…摺動部、３３ｂ…摺動部、３３ｃ…摺動部、３４ｅ…受け面、３４ｆ…受け面、３６…クリアランス、３７…排出孔、３８…クリアランス、３９…排出孔、４０…第１の内部空間、４１…第２の内部空間、４２…第１の凹状空間、４３…第２の凹状空間、４４…外部空間、１００…撮像装置、５９…撮像素子
【図１】
2012168389.tif 000003
【図２】
2012168389.tif 000004
【図３】
2012168389.tif 000005
【図４】
2012168389.tif 000006
【図５】
2012168389.tif 000007
【図６】
2012168389.tif 000008
【図７】
2012168389.tif 000009
【図８】
2012168389.tif 000010
【図９】
2012168389.tif 000011
【図１０】
2012168389.tif 000012